(57)【要約】      （修正有）【課題】簡便な装置で太陽光に匹敵する栽培効果のある間欠光照射装置を提供する。【解決手段】連続光のＬＥＤ電球の光を、レンズで圧縮した強い光の照射面を回転させる方法で間欠光となし明反応に余裕を持たせ、又これにより間欠光の周期時間を汎用のモーターに見合う回転速度まで大きくすることに由って簡便で栽培効率の高い間欠光の照射装置となしたものである。【選択図】図４
2018033435.tif 000002
【特許請求の範囲】
【請求項１】
栽培面へ円形の照射面５を照射する機能の、円形のスポットライトの光りを、配光用レンズ装置にセットされた複数の扇型のレンズを通過させて、図８の事例の配置にならい、栽培面へ、扇型の２辺の交点（頂点）を中心として等間隔の角度で、複数の扇型の照射面Ｓ６を配置した状態となした後、配光用レンズ装置を回転することで、複数の扇型の照射面Ｓ６を回転移動させることに由って、その光跡として円形の間欠光の照射面Ｓ７を作る仕組みの、円形のスポットライト及び配光用レンズ装置と扇型のレンズ、配光用レンズ装置を回転させるモーターを主要部品とする、図４に示す構造の本発明の間欠光照射装置
【請求項２】
円形のスポットライトの光りに替えて、外部からの光りを取り込んで配光用レンズ装置に導き、以降は請求項１と同じ手段によって、円形の間欠光の照射面Ｓ７を作って栽培用に利用する仕組みである、図４に示した本発明の間欠光照射装置の構造から、円形のスポットライトを除いた構造の間欠光照射装置
【発明の詳細な説明】
【技術分野】
【０００１】  本発明は、植物栽培用ハウス（以下、ハウスと言う）において使用する、光合成用の光りを照射する照明装置に関するものである。
【背景技術】
【０００２】  光合成用の光に関しては、植物へ連続した光よりも、光を細切れにして（明、暗の周期をもつ光、以下間欠光と言う）として照射して与えた方が光合成の効率が良いことが知られている。
本出願人は、上記の原理をハウス栽培の実際において応用するための設備として、ＬＥＤ電球の光の指向性良いことに着目して、連続した光を間欠光と成して、植物へ照射する照射装置として、先に実用新案として登録済みの装置（実用新案、登録第３２０２０８８号、名称「内外の明暗と間欠の比率を均一とした、間欠光照射装置」、以下、先の考案による照射装置と言う）を提案した。
先の考案による照射装置は、ＬＥＤ電球の光（人口の光源）を用いて、簡便な装置で、省エネルギーで活用できる照明の方法として提案したものであって、この方法は、強い照度の光りによる光合成量を、ＬＥＤ電球の光（人口の光源）を用いて、低いコスト（小さな電力量）で達成することを可能としたものであって、先の考案による照射装置の活用は栽培効率の向上の他、ハウスに照射する太陽エネルギーの余剰分の回収や、省エネルギーによるＣＯ２の削減などの技術としても寄与できる技術である。
【発明が解決しようとする課題】
【０００３】  以下、先の考案の仕組みについて、図１、図２、図３によって説明する。
図１（先の考案の図５に相当）は扇型照明電球であり、図２は栽培用ハウスの栽培面（平面の照射対象面、以下栽培面という）が扇型照明電球の照射により受ける有効な照度を有する照射面の形を現した図面である。
図３（先の考案の図６）は、先の考案における間欠光照射装置を示した図面であって、回転軸を中心として回転する電球設置用笠には、扇型照明電球二個を用いて、扇型照明電球の二辺（辺ａ、辺ｂ）の交点を中心へ向けて双方の弧が同一の円上であって、円の中心に対照的に設置した形と成した状態の事例を示している。
図３に示した、先の考案における間欠光照射装置を栽培面に、中心線が垂直となるように据えて、スリップリング機構を通じて、扇型照明電球へ通電して点灯のみ行うときには、栽培面には図２で示した、扇型の照射面Ｓ４（扇型照明電球の点灯により照らされた扇型の有効な照度を有するスポット照射面）を作る、又、扇型照明電球の点灯した状態で、モーターを駆動して、回転軸を通じ電球設置用笠と扇型照明電球を回転する場合には、円Ｓ５の内側は扇型の照射面Ｓ４の回転による光跡によって間欠光の照射を受ける面となる（以下、この面を間欠光の照射面Ｓ５という）、又この面を、間欠光を利用した栽培面として利用して、連続光に比べて効率の高い光の利用を行い、又、高い工率で生産できる面となす仕組みである。
【０００４】  続いて、図２によって円形の間欠光の照射面Ｓ５の間欠光の性質について説明する。
図２（先の考案の図３）は、図３に示した間欠光照射装置の運転によって得られる、扇型の照射面Ｓ４（電燈設置用笠を停止して、扇型照明電球を点灯したときに、被照射面に出来る扇型のスポット光の照射面）と、点灯後、電燈設置用笠を回転することで得る円形の間欠光の照射面Ｓ５との関係を示した図面であって、間欠光の照射面Ｓ５の間欠光の性質は、明暗の比率（明：暗＝（照射面Ｓ４の挟む角β×２（扇型照明電球の設置数））：（３６０°−照射面Ｓ４の挟む角β×２（扇型照明電球の設置数））となり、周期は電燈設置用笠の回転数×２（扇型照明電球の設置数）となる事から、電燈設置用笠の回転数及び扇型照明電球の設置数、扇型照明電球の設計により照射面Ｓ４の挟む角βを変更することに由って、照射面Ｓ５の間欠光の周期と明暗の比率を容易に変更できる利点がある。
【０００５】  図３に示した間欠光照射装置は、扇型照明電球への電源電力の供給は回転する電燈設置用笠を通じて行うために、電源供給用スリップリング（以下、スリップリングという）を用いる方法で行っている。
スリップリングを用いる方法の欠点は、回転する電燈設置用笠１台について、必ずスリップリング１台が必要になる事、又、スリップリングの構造上の欠点として、回転リングと圧着端子間における接触抵抗（電気抵抗と物理的抵抗）がある。
他方、扇型照明電球へ供給する電力は、ＤＣ５０Ｖ以下の低い電圧（電力会社より購入した電力ＡＣ１００〜２２０Ｖの電力をコンバータで変成した、汎用の高輝度用ＬＥＤライトの電源と同様の電圧）が必要であり、光合成の面での効率的な利用を目指すときには、間欠光の高い周期を得る為に電燈設置用笠の回転数においてはモーターの回転数と同様の早い回転数（６０Ｈｚの電源において、４極のモーターの場合１，８００Ｒ／Ｍ程度以上）が要求される。
従って、スリップリングを利用するときの、利用の実際における、技術的改良に係る問題点は以下のＡ．〜Ｃ．で示した３点となる。
Ａ．接触抵抗により送電効率が低下すること。
Ｂ．接触抵抗により、電燈設置用笠の回転速度への制限がある。
Ｃ．扇型照明電球をセットした電燈設置用笠の質量は比較的大きく、図３に示した間欠光照射装置の始動時には、扇型照明電球の電力と電燈設置用笠の回転速度の加速に要する過渡的な電力がおおきいこと。
本発明は、先の考案による扇型のスポット光の照射面を回転させて間欠光となす効果を活かし、Ａ．〜Ｃ．で示した問題点を解決して、従来の間欠光照射装置に比べて、電力の供給装置の負担を小さくし、間欠光の利用可能な周期の幅を広げて、光合成用の照明のエネルギー効率を高める共に、光合成の工率も高めて、ハウス栽培における収量や品質に対する栽培効果の高い、間欠光照射装置（以下、本発明の間欠光照射装置という）となす事を目的としたものである。
【課題を解決するための手段】
【０００６】  本発明は、課題を解決する方法として、先の考案による間欠光照射装置で用いた、扇型照明電球に替えて、図５の斜線で示した円形の照射面５を作る機能を有する、円形の照明電球（被照射面へ円形のスポット光の照射面を作る、ＬＥＤのスポット照明電球であって、以下、円形のスポットライトという）を用いること、及び、円形のスポットライトの下部に図７に示す構造の配光用レンズ装置を設置して、円形のスポットライトが照射する断面が円形の光束を、配光用レンズ装置に装着した扇型のレンズを通して、栽培面へ配光することに由って、図８に例示した４個の有効な照度の扇型の照射面Ｓ６と４個の暗部１３を得る事。
又、４個の扇型の照射面Ｓ６の配置は扇型の二辺の頂点部（交点）を中心として均等な角度で、放射状に広げた形となし、この４個の扇型の頂点を中心とし４個の扇型の照射面Ｓ６を回転させることによって、扇型の照射面Ｓ６の回転移動による光跡となる、直径Ｄ２の円形の面を間欠光の照斜面（以下、間欠光の照射面Ｓ７という）となして、この間欠光の照射面Ｓ７を間欠光による植物栽培の面として活用する仕組みである。
【０００７】  続いて、図８に示した、４個の扇型の照射面Ｓ６と４個の暗部１３を、得る方法について具体的に説明する。
図８は、円形のスポットライトが照射する断面が円形の光束を、配光用レンズ装置に装着した扇型のレンズを通して、栽培面へ照射して配光することに由って栽培面へ出来る、扇型の照射面Ｓ６の形状と間欠光の照射面Ｓ７との関係を示した図面であって、一つの円形の面（間欠光の照射面Ｓ７）に、均等な間隔（扇型の照射面Ｓ６の中心線が９０°の間隔）で４個の扇型の照射面Ｓ６を配置したスポット照明の状態を示している。
図８に示した、扇型の照射面Ｓ６の形状は二辺の挟む角が３０°の扇型の場合の事例の図面であるから、一つの円形の面（間欠光の照射面Ｓ７）内の、４個の扇型の照射面Ｓ６に挟まれた、４個の扇型の暗部１３の形状は二辺の挟む角が６０°の扇型となる。
（尚、扇型の暗部１３は、４個の扇型の照射面Ｓ６を中心点（二辺の角の頂点部）回転したときにできる、直径がＤ２の円形の面（間欠光の照射面Ｓ７）の内、扇型の照射面Ｓ６の回転を停止して、スポット照明を行った時、充分なスポット光を受けない部分の形状を表すものである）
続いて、扇型の照射面Ｓ６と扇型の暗部１３作るための、本発明の二つの手段を以下のＤ．Ｅ．として説明する。
【０００８】  Ｄ．円形のスポットライトから照射される光束は栽培面に垂直な中心方向の断面が全円であることから、この光束を４分割するために、図６示した、扇型のレンズ（二辺８の挟む角が９０°の扇型であること、但し、角の中心部には小さな扇型の欠落部を設けた形状のレンズであって、以下、扇型レンズという）を４個用いて、図７に示した、配光用レンズ装置に装着して、一体化して外形が円形の面として受光して栽培面へ配光する。
尚、図７の配光用レンズ装置は、中央部に回転軸を挿入連結するボス１１が設置され、４個の扇型レンズの弧の部分に接して外形が円形に設置するための、円形の輪状のフレーム９、及びボス１１と輪状のフレーム９とを連結して、４個の扇型レンズを均等な間隔に配置して平面を円形となすための仕切用フレームより構成する扇型レンズの装着装置である。
（従って、小さな扇型の欠落部は、ボス１１の設置に必要な円形のスペース確保のためのものである）
Ｅ．配光用レンズ装置に装着する扇型レンズの機能的な特徴は、入力された光束を弧の円周方向に圧縮して、扇型レンズの扇型の２辺の挟む角度より、栽培面への照射面Ｓ６の２辺の挟む角度が小さくなるように設計したものであり、又、扇型の照射面Ｓ６の辺方向に関しても適正に調整した扇型のレンズを使用することによって、適正な辺の長さと、適正な二辺の挟む角度を有する、扇型の照射面Ｓ６を得る方法である。
又、この方法で得た扇型の照射面Ｓ６の扇型の２辺の挟む角度は、扇型のレンズの角度より小さくなり（狭くなり）、隣り合う扇型の照射面Ｓ６の間は強い光が当たらない面の部分（暗部１３）が出来る仕組みである。
即ち、円形のスポットライトの光り（円形の照射面５）を、図６に示した二辺の挟む角が９０°の扇型のレンズ４個を使用して円形に装着した配光用レンズ装置で受けて屈折させて加工して配光することで、照射対象面へ図８に示した直径Ｄ２（直径が粗、扇型の照射面Ｓ６の辺の長さの２倍となる）の円状の面には、二辺の挟む角が３０°の扇型の照射面Ｓ６と二辺の挟む角が６０°の扇型の暗部１３の組み合わせた扇型の面（以下、明暗一対の扇型照射面という）、即ち、直径Ｄ２の円は二辺の挟む角が９０°の明暗一対の扇型照射面４個で構成した円形の面となる。
【０００９】  続いて、直径Ｄ２の円で表した面を、間欠光の照射面となす仕組みを、図４に示した本発明の照射装置を以て説明する。
栽培面へ間欠光の照射面を作る原理は、図６に示した直径がＤ２の円形の栽培面において、４個の二辺の挟む角が９０°の明暗一対の扇型照射面を相対的な関係を保って回転させることに由って、直径がＤ２の円形の栽培面を間欠光の照射を受ける面となす方法である。
図４は、本発明の間欠光照射装置をハウスの天井部のフレームに設置した状態を示した側面図であって、間欠光照射装置としては、中央に円形のスポットライトを据え、円形のスポットライトの下部に、扇型レンズを装着した配光用レンズ装置を、円形のスポットライトの上部には、モーターを設置すると共に、円形のスポットライトの中央の穴を通した回転軸の上端部分をモーターの出力軸へカップリングで連結し、回転軸の下端部分は配光用レンズ装置のボス１１へ付設した構造を示している。
このような構造の本発明の間欠光照射装置において、円形のスポットライトへ通電して点灯して光を照射するときには、照射された光は被照射面（栽培面）へ、図８に示した明暗一対の扇型照射面４個で形成する、直径がＤ２の円形の面を作り、円形のスポットライトへ通電して点灯後、続いてモーターお運転して、配光用レンズ装置を回転させると、被照射面（栽培面）上で４個の明暗一対の扇型照射面が回転移動し、この回転移動による光跡として、直径がＤ２の円形の間欠光の照射面Ｓ７が出現することとなる。
尚、間欠光の照射面Ｓ７における、間欠光の特徴は以下（１）、（２）の通りとなる。
（１）明暗の比率について
明暗の比率は、明暗一対の扇型照射面の扇型において、扇型の照射面Ｓ６の２辺の      挟む角度と、扇型の暗部１３の２辺の挟む角度の比である。
∴  明暗の比率は、
扇型の照射面の２辺の角度（３０°）：  扇型の暗部１３の角度（６０°）
＝３０°：６０°＝１：２となる。
（２）間欠光の周期数  について
間欠光の周期は、明暗一対の扇型照射面の回転速度（単位時間当たりの回転数）に      、間欠光の照射面を構成する直径がＤ２の円を構成する、明暗一対の扇型照射面の      個数である。
従って、図４に示した本発明の間欠光照射装置の運転条件において、配光用レンズ      装置の回転数を３０００ｒｐｍ（５０Ｈｚの交流電源、２極の交流モーターへ直結      ）と仮定して算出すると以下の通りとなる。
間欠光の周期＝  ３０００ｒｐｍ×４（明暗一対の扇型照射面４個）
＝１２０００ｒｐｍ（１分間に１２０００回＝２００Ｈｚとなる）
【発明の効果】
【００１０】  本発明の間欠光照射装置は、ハウス栽培において、光合成用の光りとして、太陽光に替えて、人工の間欠光を照射する装置である。
栽培用に間欠光を、光合成の特性に合致させて、有効に利用するためには、太陽光に近い強さの強い光と、間欠の周期が大きいことが条件となる。
現状の人工照明による栽培は、弱光で育成できる葉物野菜に広く利用されているが、その照明は１５０μｍｏｌ／（ｍ２・ｓ）程度の照度であって（太陽光の照明に換算すると８１００Ｌｘ相当）と大きく又、果実を栽培するときには、さらに大きな強い照明を要求される。
（因みに、太陽光での果実野菜の栽培における、光合成の光り飽和点での照度を明るさで示せば、３５０００Ｌｘ以上である）
従って、トマトやキュウリなどの果実を栽培する場合には、電力の消費の点からも人工照明を行う栽培法は普及していない。
しかし、本発明の間欠光照射装置で例示した、扇型のレンズ４個を使用して光を圧縮して、明暗一対の扇型照射面４個を作り、これを回転させて円形の間欠光の照射面を作る仕組みであって、以下の（１）〜（４）にその効果について説明する。
（１）通常、円形のスポットライトでの有効な照度を得る範囲（図５に示した、円形の照射面５の直径Ｄ１）と、図８に示した間欠光の照射面Ｓ７の直径Ｄ２は略一致するように設計したと仮定すると。
扇型照射面Ｓ６における照度は、円形のスポットライトで直接円形の照射面５を照射した場合の照度の３倍となること。
通常、太陽光による自然な栽培時の光は、晴天日のピーク時には１０００００Ｌｘを超える明るさであり、光合成おいての、果実類（トマト、なす、キュウリ、ブドウ）の栽培による光合成の光飽和点（３５０００Ｌｘ程度）であって、又、光飽和点の範囲内おいて、（光を除く栽培環境が同一の場合には）植物の光合成の工率は光の強さに正比例的に増加する。
従って、円形のスポットライトで直接、直径Ｄ２の間欠光の照射面を照射して、円形のスポットライトをＯＮ、ＯＦ制御して明暗の間欠光と成した場合と比較すると、本発明の間欠光照射装置の場合には明部が３倍の強い照度の間欠光の供給となる事から、強い光の供給が容易になる事となる。
又、光合成の工率は、特に障害が発生するような、特殊な栽培雰囲気の環境を除き、光り又はＣＯ２を除く環境が同一の条件である場合には、栽培用の光の強さとＣＯ２濃度の（飽和点内の変化に応じ）、正比例的な関系で変化することから、扇型レンズで圧縮した強い光を用いる本発明の間欠光照射装置は光合成の効率と工率を向上させる効果が大きいこと。
（２）本発明の間欠光照射装置は、光合成の工率が高く維持されハウスの生産工率の向上に寄与するため、本発明の間欠光照射装置を導入することで、不要になったハウスの天井部のスペースへ、太陽電池（電熱併給型を含む）の設置が可能となり、又、太陽電池より得る電力量は、本発明の間欠光照射装置の運転に必要な電力より充分大きくなることから（日本国内の設置で、電力の回収量約９８０ｋｗｈ／年、太陽電池の設置スペースを７ｍ２／１ｋｗとして試算の場合）、この電力を、本発明の間欠光照射装置の運転用電力に活用し、余力分をその他のエネルギー用として利用するハウスのシステムとなる事。
（３）本発明の間欠光照射装置は扇型のレンズを用いて、扇型のレンズへ入光した光を圧縮して、扇型の照射面として用いるものであるが、光源としては太陽光も利用が可能で、日当たりの悪いハウスなどに応用し補光用機器として、弱い太陽光を強めて活用する等の使用も可能である。
又、扇型のレンズへ入光した光は圧縮の他、拡散することも出来る事から（間欠光の照射面Ｓ７の直径Ｄ２を円形の照射面５の直径Ｄ１より充分に大きくする操作によって）、木漏れ日的な光を拡大して使用することが出来る事。
（４）現状での、栽培用の間欠光として用いる場合の、光合成の効率についての理論は、光合成のプロセスにおいて、光エネルギーを必要としない時間帯が２００μ秒あり（以下この時間帯を暗反応時間という）、この時間帯の光りの供給をカットして行えば、光合成反応における光の使用効率の改善が可能になると言う、実験に基づいた発見を原理としている、従って、間欠光の種類も明暗の比率が１：１で、２００μ秒のパルス照射を行う周期が４００μ秒の間欠光を用い、暗部においての電力消費を節電することを目的としている。
従って、現状の間欠光の照射装置は、スイッチのＯＮ・ＯＦによるパルス光の照射を行うものであって、明暗の比率が１：１であり、間欠光の周期については１０μ秒〜１ｍ秒の早い周期であり、弱光での栽培に適した葉物野菜用の栽培での利用するものである。
しかし、本発明の間欠光照射装置は、強い光を照射して、光合成の工率を増加させて（光合成の明反応においての工率を上げて、適正な余裕を持たせること）又、その適正な余裕量を、暗反応との適正なバランスをとるときには、間欠光の性質としては、明暗比率の暗部の比率を大きくすることが可能となり、暗部の時間帯を大きくし、間欠光の周期も大きくすることが可能であって、本発明の間欠光間欠光の利用周期を、１ｍ秒を超えて数１０ｍ秒まで広げて利用においても、充分な効率と、工率を維持し、むしろ従来を上回る栽培効果のある機器となしたものである。
間欠光の周期を１ｍ秒〜数１０ｍ秒までの範囲で利用するときには、汎用のモーターの出力軸に直結でも利用できることから、スリップリングを利用等の必要が無く、本発明の技術的な課題を解決して、より簡便性のある機器となしたものである。
因みに、図８に示した間欠光の照射面における、間欠光の周期と、間欠光の照射面（照射面Ｓ６）の回転数の関係について、以下の通り汎用のモーターの回転数を利用した場合の計算例を示す。
計算例
（条  件）
図８に示した間欠光の照射面Ｓ７を、モーター（電源５０Ｈｚ、２極の交流モーター）の出力軸の回転数（３０００ｒｐｍ）で回転させたときの、間欠光の照射面Ｓ７の間欠光の周期はいくらか？
（計算値）
モーターの回転数＝３０００ｒｐｍ＝５０回／秒
間欠光の周期＝１０００ｍ秒÷（間欠光の照射面の回転数×４（照射面Ｓ６の数））
＝１０００ｍ秒÷（５０×４）
＝５ｍ秒    となる。
上記の計算例は、数十ｍ秒の周期で利用するときには、汎用のモーターの直結の回転数でも充分に余裕のある速さであることを示している。
【発明を実施するための最良の形態】
【００１１】  本発明の間欠光は扇型の照射面Ｓ６を回転して得るが、扇型の照射面Ｓ６の形状については光の照射面であり、又、扇型の照射面Ｓ６は一つのハウスにおいて複数使用して利用する場合には、重複して照射を受ける面も生じることから、扇型の形状についての高い精度は不要であって、例えば、扇型の照射面Ｓ６を二等辺三角形としても積分的な効果については大差がないと言える、又、面内照度の均一性についても高い精度を必要としないが、扇型レンズは高速回転することから、軽量のフレネルレンズを使用することが設計的にも、経済性からも有利な条件である。
又、図８に示した間欠光の照射面Ｓ７は明暗比率が（明：暗＝１：２）であり、扇型の照射面Ｓ６の数も４個として示した図面であるが、間欠光の明暗の比率は必ずしも（明：暗＝１：２）である必要は無く、明反応の時間帯は短いことから、間欠光の周期を大きくしたことで、暗部の時間帯大きくしてバランスさせたものである、又、照射面Ｓ６の数も４個である必要は無く、この数は回転数と周期の関係で適宜、定める事で良いことである。
従って、間欠光の照射面Ｓ７の内の扇型の照射面Ｓ６の個数、光の強さなどは、ハウス内の栽培植物の種類や、ＣＯ２の濃度、など光合成の工率へ影響を与える条件に合わせて、最大の栽培効率になるように設定して用いることで利用する。
【実施例】
【００１２】  植物栽培においての光りは万遍なく光を当てる等、光の照射方も必要となる事から、本発明の間欠光照射装置においても、位置や照射角度の変更が可能な機能を持たせることで、充分な機能が発揮される機器となること。
又、レンズ装置に装着された扇型のレンズへ、天井部からの光源（人工照明や天井へ設置した、太陽電池からの木漏れ日的な光を利用する場合においては、図４に示した本発明の間欠光照射装置から円形のスポットライトを外した形として、上部から光を受けて、栽培面へ間欠光を照射する仕組みとなして応用する等の利用が可能である。【００１３】  尚、本発明の間欠光照射装置による木漏れ日的な光の利用では、ハウスに付設した売電用の太陽電池の施設面から、日光の一部を利用して栽培用の光として用いる例の場合を示すと以下の通りである。
太陽電池の施設面へ、太陽光を導入する円形（等）の孔を設けて、この円形（等）の孔から導入した太陽光を、本発明の間欠光照射装置の配光用レンズ装置へ誘導して、扇型レンズで拡大して栽培用の光として利用し、太陽電池の施設面の下部の土地の日照不足を補い、栽培面として利用する等の応用が出来る。
【図面の簡単な説明】
【００１４】
【図１】  図１は、先の考案の扇型照明電球の斜視図である。（先の考案においては、図５として示されたものである）
【図２】  図２は、相対的に設置した、扇型照明電球２個の点灯によって、被照射面（平坦な栽培面）に出来た有効な照度を持った扇型の照射面Ｓ４及び、扇型の照射面Ｓ４を、中心１４を中心として回転することに由って得た、円形の間欠光の照射面Ｓ５を示す図面である。（先の考案においては、図３と示されたものである）
【図３】  図３は、先の考案の間欠光照射装置の仕組みを示す、正面図（部分断面図）である。（先の考案においては、図５と示されたものである）
【図４】  図４は、本発明の間欠光照射装置の仕組みを示す、正面図（部分断面図）である。
【図５】  図５は、本発明が使用する円形のスポットライトを点灯し、直接・直下の水平の面６（被照射面、栽培面）へ光を照射した場合、有効照度を有する円形の照射面５を示す平面図である。
【図６】  図６は、本発明による、配光用の扇型レンズの形状を示す平面図である。
【図７】  図７は、本発明による、配光用レンズ装置を示す、平面図及び側面図である。
【図８】  図８は、本発明の間欠光照射装置からの光りの照射により、被照射面（平坦な栽培面）に作られた、４個の静止時の扇型の照射面Ｓ６と、４個の照射面Ｓ６を被照射面（平坦な栽培面）上で回転移動させて得られる、直径がＤ２（Ｄ２＝扇型の照射面Ｓ６の辺の長さの２倍）の円形の間欠光の照射面Ｓ７との関係を示す平面図である。
【符号の説明】
【００１５】１．  フレーム（天井設置用）
２．  フレーム（軸受設置用）
３．  フレーム（円形スポットライト用）
４．  フレーム（モーター設置用）
５．  円形の照射面
６．  水平の面６（被照射面）
７．  扇型レンズの外周の弧
８．  扇型レンズの辺の部分
９．  輪型フレーム
１０．仕切用フレーム
１１．ボス
１２．ネジ（回転軸セット用）
１３．暗部
１４．扇形の照射面Ｓ４の２等辺の頂点（間欠光の照射面Ｓ５の中心点）
１５．フレーム（天井部のモーター設置用）
１６．フレーム（軸受け設置用）
１７．フレーム（スリップリング設置用）
１８．ボス（回転軸に付設した）
１９．リブ（電球設置用笠の取り付け用）
２０．ナット（天井部のモーター設置用）
２１．棚（中央部で扇型電球を支える棚板）
２２．棚（内側にリンク状に張り出した、扇型電球を支える棚板）
β．  扇形照明電球による照射面Ｓ４の角度
Ｄ１．円形の照射面５の直径
Ｄ２．間欠光の照射面Ｓ７の直径
Ｌ１．照射面Ｓ５の直径
Ｓ４．扇型の照射面
Ｓ５．間欠光の照射面（扇形の照射面Ｓ４の２等辺の頂点を中心点１４として、扇形の照      射面Ｓ４を回転して出来た、円形の間欠光の照射面）
Ｓ６．扇型の照射面
Ｓ７．間欠光の照射面
【図１】
2018033435.tif 000003
【図２】
2018033435.tif 000004
【図３】
2018033435.tif 000005
【図４】
2018033435.tif 000006
【図５】
2018033435.tif 000007
【図６】
2018033435.tif 000008
【図７】
2018033435.tif 000009
【図８】
2018033435.tif 000010